(57)【要約】【課題】  ヘッドに対するシャフトのねじによる取付けを、ねじによる締め付けにより両者を互いに密着する方向に締め付け力を与えて取り付ける。【解決手段】  ヘッドの長手方向水平ねじ穴から締めねじを螺合して、環状溝に締め付けるゴルフ用アクシスパターにおいて、三角断面のシャフトを２３，５度後方に傾斜させてヘッドに取り付けるパター軸であって、先端部に外周環状溝を備えて一体化したパター軸を斜めのパター軸先端挿入穴に嵌合し、ヘッドに螺設され外周環状溝に臨む前方水平ねじ穴と、この前方水平ねじ穴に螺合する前方締め付けねじを備え、前方締め付けねじの螺合によってパター軸を挿入穴底へ押付ける力を与えて取り付ける。【選択図】  図２
2005040551.tif 000002
【特許請求の範囲】
【請求項１】
ヘッドの長手方向水平ねじ穴から締めねじを螺合して、環状溝に締め付けるゴルフ用アクシスパターにおいて、三角断面のシャフトを２３．５度後方に傾斜させてヘッドに取り付けるパター軸であって、先端部に外周環状溝を備えて一体化したパター軸を斜めのパター軸先端挿入穴に嵌合し、ヘッドに螺設され外周環状溝に臨む前方水平ねじ穴と、この前方水平ねじ穴に螺合する前方締め付けねじを備え、前方締め付けねじの螺合によってパター軸を挿入穴底へ押付ける力を与えて取り付けることを特徴とするゴルフ用アクシスパター。
【請求項２】
請求項１において、前記前方締め付けねじを備えると共に、ヘッドに螺設され外周環状溝に臨む後方水平ねじ穴とこれに螺合する後方締め付けねじを備えることを特徴とするゴルフ用アクシスパター。
【発明の詳細な説明】
【技術分野】
【０００１】  本発明は、ゴルフクラブに関し、ヘッドに対して取り付けられるパター軸の傾斜角を２３．５°とし、しかもヘッドに対してパター軸を、これを軸心として３６０°回動自在とし、パター軸のグリップを所望の任意の回動位置に調整し、その調整位置に固定にして使用することのできるゴルフ用アクシスパターに関する。特に、ゴルフ用アクシスパターにおいて、ヘッドに対しパター軸を取り付け方向軸方向での緩みを防止することのできる取り付け構造を備えたゴルフ用アクシスパターに関する。
【技術的背景】
【０００２】  図４、５は、本願発明者による先行技術を示すもので、パター軸（１２）の一端部にグリップ（１１）を備え、他端部にヘッド（１３）が、例えば、止めピンを叩き込むことによって固定し一体化されている。パター軸（１２）はヘッド（１３）に対し垂直線に対し２３．５°の角度をなして上向き方向に取り付けられる。しかもヘッドに対してパター軸を、パター軸（１２）を軸心として３６０゜回動自在とし、パター軸のグリップ（１１）を所望の任意の回動位置に調整し、その調整位置に固定にして使用する。
また、ヘッド（１３）はパター軸（１２）取り付け位置から前方Ｆ方向において、図５に示すように、底面内設凹部に前方部分軽量化のため合成樹脂（１９）が一体的に固設されている。
この先行技術のパター軸（１２）とヘッド（１３）取り付けにおいて、パター軸（１２）取り付け位置から後方Ｒ方向に向いた後方水平ねじ穴（１８）が穿設されている。また、ヘッド（１３）に対し２３．５度後方に傾斜する傾斜角をもってと取り付けられるパター軸（１２）は、その先端部に形成のさや部材（１４）に、パター軸（１２）の中心軸との直交する外周面に外周環状溝（１７）が形成されている。ヘッド（１３）は、ヘッド（１３）に穿設された斜め方向のパター軸先端挿入穴（１６）にパター軸（１２）と一体のさや部材（１４）を嵌合し、後方水平ねじ孔（１８）に締め付けねじ（１５）を螺合して締め付けることによって取り付け、固定される。
【０００３】  これによれば、締め付けねじ（１５）によるパター軸（１２）と一体のさや部材（１４）とパター軸（１２）との取り付けにおいて、締め付けねじ（１５）の先端と外周環状溝（１７）との接触は、図５に示されるように外周環状溝（１７）上方肩部との接触となり、締め付け力を強めていくと、パター軸（１２）を上方に押し上げる力が加わり、パター軸（１２）の先端さや部材（１４）が軸方向にヘッド（１３）から離脱する方向に変位する力が作用して取り付けられる。このため、パター軸（１２）の先端さや部材（１４）の先端とヘッド（１４）のパター軸先端挿入穴（１６）底との間に隙間が生じるおそれがあった。
【発明の開示】
【発明が解決しようとする課題】
【０００４】  この出願の発明は、以上の通りの、先行技術の問題点を解決するためになされたものであって、先行技術におけるような締め付けねじ（１５）によるヘッド（１４）と先端さや部材又は大径部（１４）（以下先行技術との関係で「先端さや部材」の名称を代表して使用するものとする）を介したパター軸（１２）との取り付けの際に、後方水平締め付けねじ（１５）の先端と先端さや部材（１４）の外周環状溝（１７）と接触において、パター軸（１２）がヘッド（１３）から離脱する方向に変位する力が作用することがなく、反対に、パター軸（２）の先端さや部材（４）とヘッド（３）の間で、パター軸（２）をヘッド（３）の挿入穴（６）の底に向けて、両者を緊締する方向に変位する力が作用する構造となし、パター軸（２）の先端さや部材（４）先端とヘッド（３）の挿入穴（６）底との間に隙間が生じることをなくし、最終的にパター軸（２）とヘッド（３）を所望の位置に正確に固定することを目的とするものである。
【課題を解決するための手段】
【０００５】  この出願の発明は、上記目的を達成するために、第一には、ヘッドの長手方向水平ねじ穴から締めねじを螺合して、環状溝に締め付けるゴルフ用アクシスパターにおいて、三角断面のシャフトを２３，５度後方に傾斜させてヘッドに取り付けるパター軸であって、先端部に外周環状溝を備えて一体化したパター軸を斜めのパター軸先端挿入穴に嵌合し、ヘッドに螺設され外周環状溝に臨む前方水平ねじ穴と、この前方水平ねじ穴に螺合する前方締め付けねじを備え、前方締め付けねじの螺合によってパター軸を挿入穴底へ押付ける力を与えることを特徴とするゴルフ用アクシスパターを提供する。【０００６】  また、この出願の発明は、第二には、前記前方締め付けねじを備えると共に、ヘッドに螺設された後方水平ねじ穴とこれに螺合する後方締め付けねじを備えるゴルフ用アクシスパターをも提供する。
【発明を実施するための最良の形態】
【０００７】  以下、この出願の発明の最良の形態を、図面に基づいて説明する。
図１は、本願発明のパタークラブの斜視図である。この図１において、断面三角形状のグリップ（１）を備えたパター軸（２）は、金属製のヘッド（３）に対して、パター軸（２）の軸心を２３．５度後方に傾斜して取り付けられるとともに、パター軸（２）をその軸を中心に適宜回動して、三角のグリップの面をパター（３）の打撃面とのなす角度ωを調整して取り付けられる。【０００８】  図２は、図１のヘッドに対し傾斜して取り付けられたパター軸を有するのゴルフ用アクシスパターにおいて、ヘッドの長手方向の、矢視線Ａ−Ａから見た断面図である。図２において、使用者がゴルフ用アクシスパターを把持する使用状態で、ヘッドの方向を、パター軸（２）取り付け位置を基準にして、使用者からみて、パター軸（２）より前方を前方Ｆ方向とし、使用者からみて、パター軸（２）より後方を後方Ｒ方向と定義する。
底面内設凹部に前方部分軽量化のため合成樹脂（９）が一体的に固設された金属製のヘッド（３）は、その前方Ｆ方向において、前方水平ねじ孔（８）が穿設されている。また、ヘッド（３）に対し２３．５度後方に傾斜する傾斜角をもって取り付けられるパター軸（２）は、その先端部に形成のさや部材（４）に、その中心軸との直交する外周面に外周環状溝（７）が形成されている。ヘッド（３）は、ヘッド（３）に穿設された斜め方向のパター軸先端挿入穴（６）にパター軸（２）のさや部材（４）を嵌合し、前方水平ねじ孔（８）に前方締め付けねじ（５）を螺合して締め付けることによって取り付け、その際、さや部材（４）外周環状溝（７）の下方肩部（７１）に接して固定される。
なお、パター軸（２）より大径のさや部材（４）は、パター軸（２）と一体の大径部であってもよい。【０００９】  これによれば、前方締め付けねじ（５）によるパター軸（２）のさや部材（４）とヘッド（３）との取り付けにおいて、前方締め付けねじ（５）の先端と外周環状溝（７）との接触は、外周環状溝（７）の下方肩部（７１）との接触となり、ねじ込んで締め付け力を強めていくと、傾斜面でパター軸（２）を下方に押し付ける力が加えられ、パター軸（２）のさや部材（４）がヘッド（３）に締め付ける方向に力が作用して取り付けられる。このため、パター軸（２）のさや部材（４）の先端とヘッド（３）の挿入穴（６）底との間は圧着され、両者の間に隙間が発生させるような力はないので、隙間の生じるおそれはなく、所望に位置に正確に固定されることになる。
【実施例１】
【００１０】  パター軸（２）に対する金属製のヘッド（３）の取り付けにおいて、図３に示すように、前方水平ねじ孔（８）に前方締め付けねじ（５）を螺合して締め付ける他に、さらに、パター軸（２）取り付け位置から後方水平Ｒ方向に向いたヘッド（３）に穿設された後方水平ねじ孔（８１）に後方締め付けねじ（５１）を螺合して締め付けることができるように、別途、締め付け手段を追加することもできる。この場合、後方締め付けねじ（５１）の締め付けによって、外周環状溝（７）の上方肩部（７２）が上方に締め付けられる。
これによれば、パター軸（２）のさや部材（４）部分において、前方締め付けねじ（５）よってはさや部材（４）を下方へ、また後方締め付けねじ（５１）によってはさや部材（４）を上方へと、前方締め付けねじ（５）及び後方締め付けねじ（５１）の両者によって、互いに反対方向に締め付けられるので、恰もダブルナット機能をなすように取り付けられることになり、前方締め付けねじ（５）及び後方締め付けねじ（５１）相互のねじ緩み止めが発揮されながら、パター軸（２）のさや部材（４）部分がその軸方向の移動を固定されるので、パター軸（２）とヘッド（３）は所定の位置に一層確実に固定される。【００１１】  図３に示す例では、前方締め付けねじ（５）の前方水平ねじ孔（８）及び後方締め付けねじ（５１）の後方水平ねじ穴（８１）とは、両ねじ孔の軸線が段違いになっているが、この例における両ねじ孔の配置を同一軸線上にすることも可能であり、この場合には、ねじ孔加工に当たって同一軸線上の簡単な加工で済ますことができる。
また、ヘッド（３）に穿設された斜め方向のパター軸先端挿入穴（６）の位置をヘッド（３）の軸方向中心にずらして穿設し、前方水平ねじ孔（８）及後方水平ねじ穴（８１）の長さを同一にして、それぞれ前方締め付けねじ（５）及び後方締め付けねじ（５１）で締め付け可能とすることもでき、この場合には、同一寸法の締め付けねじを、前方締め付けねじ（５）又は後方締め付けねじ（５１）として共用することができる。【００１２】  以上から、本願発明に係るパター軸（２）に対するヘッド（３）の取り付けは、少なくとも前方締め付けねじ（５）の備えがあればよく、さらに、取付を確実にするために、後方締め付けねじ（５１）を追加する構成とすればよい。
【発明の効果】
【００１２】  以上、説明したように、この出願の発明によれば、先行技術のように締め付けねじ（１５）によるパター軸（１２）のさや部材（１４）とヘッド（３）との取り付けの際に、締め付けねじ（１５）の先端と外周環状溝（１７）との接触において、パター軸（１２）のさや部材（１４）がヘッド（１３）から離脱する方向に力が作用することがなく、逆に、パター軸（２）のさや部材（４）とヘッド（３）との間に、両者を緊圧する方向に力が作用する構造となしているので、パター軸（２）の先端とヘッド（３）の挿入穴（６）底との間は加圧接触状態となり、隙間が生じることをなくすることができ、したがって、パター軸（２）とヘッド（３）を所望の位置に正確に固定することができる。
前方締め付けねじ（５）の他にさらに後方締め付けねじ（５１）をも備え、両者のねじにより反対方向に力を作用させることによって、相互のねじ緩み止め作用から、パター軸（２）とパター（３）の所定の位置での結合を一層確実になすことができる。
【図面の簡単な説明】
【００１４】
【図１】  本願発明のアクシスパターの全体斜視図である。
【図２】  パター軸にアクシスパターのヘッドを前方締め付けねじ（５）により取り付けた状態を示す、図１の矢視線Ａ−Ａから見た断面図ある。
【図３】  パター軸にアクシスパターのヘッドを前方締め付けねじ（５）及び後方締め付けねじ（５１）の両者により取り付けた状態を示す、図１の矢視線Ａ−Ａから見た断面図ある。
【図４】  先行技術のアクシスパターの全体斜視図である。
【図５】  先行技術におけるアクシスパターの取り付け状態を示す断面図である。
【符号の説明】
【００１５】（１），（１１）    グリップ
（２），（１２）    パター軸
（３），（１３）    ヘッド
（４），（１４）    先端さや部材
（５）              前方締めねじ
（５１），（１５）  後方締めねじ
（６），（１６）    パター軸先端挿入穴
（７），（１７）    外周環状溝
（７１）            下方肩部
（７２）            上方肩部
（８）              前方水平ねじ穴
（８１），（１８）  後方水平ねじ穴
（９），（１９）    合成樹脂
【図１】
2005040551.tif 000003
【図２】
2005040551.tif 000004
【図３】
2005040551.tif 000005
【図４】
2005040551.tif 000006
【図５】
2005040551.tif 000007